(57)【要約】【課題】  簡単な構造で、金属糸を短時間に、かつ確実に接続することが可能である。【解決手段】  釣り糸連結具２１は、連結具本体２２と、連結具本体２２の先端部２２ａに形成された金属糸２５を結ぶ一対の連通孔２３ａ，２３ｂと、先端部２２ａの一対の連通孔２３ａ，２３ｂより先端に形成された樹脂糸２７を結ぶ１個の連通孔２３ｃとを有し、先端部２２ａは、金属糸２５と樹脂糸２７とを連結後に連結具本体２２から切断して分離する。また、釣り糸連結具３１は、連結具本体３３と、連結具本体３３の先端部に形成された金属糸３５を結ぶ一対の連通孔３４ａ，３４ｂとを有し、連結具本体３３は、釣り針３２と一体に形成されている。【選択図】図１
2008005773.tif 000002
【特許請求の範囲】
【請求項１】
連結具本体と、
前記連結具本体の先端部に形成された金属糸を結ぶ一対の連通孔と、
前記先端部の前記一対の連通孔より先端に形成された樹脂糸を結ぶ１個の連通孔とを有し、
前記先端部は、前記金属糸と前記樹脂糸とを連結後に前記連結具本体から切断して分離することを特徴とする釣り糸連結具。
【請求項２】
連結具本体と、
前記連結具本体の先端部に形成された金属糸を結ぶ一対の連通孔とを有し、
前記連結具本体は、釣り針のチモトと一体に形成されることを特徴とする釣り糸連結具。
【発明の詳細な説明】
【技術分野】
【０００１】
この発明は、金属糸を用いる釣りに使用する釣り糸連結具に関するものである。
【背景技術】
【０００２】
例えば、鮎釣りにおいて使用する極細な金属糸と樹脂糸とを、パイプ部品を用いて結合するものがある（特許文献１）。
【特許文献１】特開2005-328822号公報
【発明の開示】
【発明が解決しようとする課題】
【０００３】
このパイプ部品は、ビニールパイプとアルミパイプとの２部材であり、構造が複雑である。このため、金属糸と樹脂糸とを直接連結することがあるが、極細な金属糸は、結ぶと切れるので、例えば金属糸に樹脂糸を３つ編みに編み込んで結んでいるが、キンクさせると、簡単に切れるので、連結作業に大変な時間と神経を使うなどの問題がある。
【０００４】
この発明は、かかる点に鑑みてなされたもので、簡単な構造で、金属糸を短時間に、かつ確実に接続することが可能な釣り糸連結具を提供することを目的としている。
【課題を解決するための手段】
【０００５】
前記課題を解決し、かつ目的を達成するために、この発明は、以下のように構成されている。
【０００６】
請求項１に記載の発明は、
連結具本体と、
前記連結具本体の先端部に形成された金属糸を結ぶ一対の連通孔と、
前記先端部の前記一対の連通孔より先端に形成された樹脂糸を結ぶ１個の連通孔とを有し、
前記先端部は、前記金属糸と前記樹脂糸とを連結後に前記連結具本体から切断して分離することを特徴とする釣り糸連結具である。
【０００７】
請求項２に記載の発明は、
連結具本体と、
前記連結具本体の先端部に形成された金属糸を結ぶ一対の連通孔とを有し、
前記連結具本体は、釣り針のチモトと一体に形成されることを特徴とする釣り糸連結具である。
【発明の効果】
【０００８】
前記構成により、この発明は、以下のような効果を有する。
請求項１に記載の発明では、連結具本体の先端部の一対の連通孔を用いて金属糸を結び、先端部の一対の連通孔より先端の１個の連通孔を用いて樹脂糸を結ぶ、先端部は、金属糸と樹脂糸とを連結後に連結具本体から切断して分離することで、金属糸と樹脂糸とを簡単、かつ迅速に連結することができる。
【０００９】
請求項２に記載の発明では、連結具本体は、釣り針のチモトと一体に形成され、連結具本体に金属糸を簡単、かつ迅速に連結し、金属糸をハリスに使用することができる。
【発明を実施するための最良の形態】
【００１０】
以下、この発明の釣り糸連結具の実施の形態について説明するが、この発明の実施の形態は、発明の最も好ましい形態を示すものであり、この発明はこれに限定されない。
【００１１】
まず、釣り糸連結具について、図１乃至図５に基づいて説明する。図１は釣り糸連結具の正面図、図２は釣り糸連結具の先端部を分離した状態の側面図、図３乃至図５は釣り糸連結具の使用状態を示す図である。
【００１２】
この実施の形態の釣り糸連結具２１は、鮎釣りの金属糸と樹脂糸との連結具を示している。この釣り糸連結具２１は、連結具本体２２を有し、この連結具本体２２には棒状の先端部２２ａが形成されている。先端部２２ａには金属糸を結ぶ一対の連通孔２３ａ，２３ｂと、先端部２２ａの一対の連通孔２３ａ，２３ｂより先端に樹脂糸を結ぶ１個の連通孔２３ｃとが形成されている。この先端部２２ａは、金属糸と樹脂糸とを連結後に、連結具本体２２から基部２２ｂの位置で切断して分離し、さらに使用状態にするためには、連通孔２３ａに近接した切断位置２２ｃで切断する。この鮎の友釣り糸連結具２１は、連結具本体２２が樹脂で形成され、一対の連通孔２３ａ，２３ｂには、それぞれ切込み２３ａ１，２３ｂ１が側面から連通孔２３ａ，２３ｂに連通して形成されている。
【００１３】
次に、この釣り糸連結具２１の使用状態を説明する。釣り人は、金属糸２５の一端２５ａを連結具本体２２と一緒に一方の手で摘まみ、金属糸２５の他端２５ｂを他方の手で摘み、金属糸２５を先端部２２ａの切込み２３ａ１から連通孔２３ａに入れ、この連通孔２３ａに通した金属糸２５を切込み２３ｂ１から連通孔２３ｂに通す（図３）。再び、金属糸２５を切込み２３ａ１から連通孔２３ａに入れ、この連通孔２３ａに通した金属糸２５を切込み２３ｂ１から連通孔２３ｂに通す（図４）。次に、金属糸２５の他端２５ｂを摘み、数回金属糸２５を先端部２２ａに巻き付け、金属糸２５を切込み２３ａ１から連通孔２３ａに通す。数回金属糸２５を巻き付けた部分に接着剤２６着けて、巻き付けた金属糸２５を接着すれば一層完全に固着でき、金属糸２５の強度を十分に発揮できる。そして、先端部２２ａの連通孔２３ｃに樹脂糸２７を通して結ぶ（図５）。最後に、連結具本体２２を使用状態にするために連通孔２３ａに近接した切断位置２２ｃで、鋏などの切断具によって切断し、さらに巻き終えた余分な金属糸２５も切断する。
【００１４】
このように、連結具本体２２の先端部２２ａの一対の連通孔２３ａ，２３ｂを用いて金属糸２５を結び、先端部２２ａの一対の連通孔２３ａ，２３ｂより先端の１個の連通孔２３ｃを用いて樹脂糸２７を結ぶ。先端部２２ａは、金属糸２５と樹脂糸２７とを連結後に連結具本体２２から切断して分離することで、金属糸２５と樹脂糸２７とを簡単、かつ短時間に連結することができる。また、連結具本体２２の先端部２２ａは、棒状の小さな部材であり、釣り時に水の抵抗も影響することがない。
【００１５】
次に、他の実施の形態の釣り糸連結具について、図６乃至図１０に基づいて説明する。図６は釣り糸連結具の正面図、図７は釣り糸連結具の側面図である。図８乃至図１０は釣り糸連結具の連結状態を示す図である。
【００１６】
この実施の形態の釣り糸連結具３１は、樹脂成形により連結具本体３３が、釣り針３２のチモトと一体に形成されている。連結具本体３３の先端部には、一対の連通孔３４ａ，３４ｂが形成され、この一対の連通孔３４ａ，３４ｂには、それぞれ切込み３４ａ１，３４ｂ１が側面から連通孔３４ａ，３４ｂに連通して形成されている。
【００１７】
この実施の形態では、釣り人が金属糸３５の一端３５ａを釣り針３２のチモトと一緒に一方の手で摘まみ、金属糸３５の他端３５ｂを他方の手で摘み、金属糸３５を連結具本体３３の切込み３４ｂ１から連通孔３４ｂに入れ、この連通孔３４ｂに通した金属糸３５を切込み３４ａ１から連通孔３４ａに通し、再び、金属糸３５を切込み３４ｂ１から連通孔３４ｂに入れる（図８）。さらに、再び、金属糸３５を切込み３４ｂ１から連通孔３４ｂに入れ、この連通孔３４ｂに通した金属糸３５を切込み３４ａ１から連通孔３４ａに通す（図９）。次に、金属糸３５の他端３５ｂを他方の手で摘み、数回金属糸３５を連結具本体３３に巻き付け、最後に金属糸３５を切込み３４ｂ１から連通孔３４ｂに通して完了する（図１０）。数回金属糸３５を巻き付けた部分に接着剤３６着けて、巻き付けた金属糸３５を接着すれば一層完全に固着でき、金属糸３５の強度を十分に発揮でき、巻き終えた余分な金属糸３５は切断する。釣り針３２のチモトと一体成形した連結具本体３３とからなり、連結具本体３３に金属糸３５を簡単、かつ迅速に連結し、金属糸３５をハリスに使用することができる。この実施の形態は、細かいハリスを必要とする、例えば海ではメバル釣り、川ではヤマメ釣りなどに絶大なる効果を有する。この実施の形態では、樹脂成形により連結具本体３３が、釣り針３２のチモトと一体に形成され、釣り人が金属糸３５の一端３５ａを釣り針３２のチモトと一緒に一方の手で摘まみ、金属糸３５を巻くようにしているが、釣り針３２が小さくて摘まみずらい場合には、図1乃至図5の実施の形態と同様に、本体の手で摘まむ部分を一体に形成すると取り扱い性がよい。
【産業上の利用可能性】
【００１８】
この発明は、金属糸を用いる釣りに使用する釣り糸連結具に適用でき、簡単な構造で、金属糸を短時間に、かつ確実に接続することが可能である。
【図面の簡単な説明】
【００１９】
【図１】釣り糸連結具の正面図である。
【図２】釣り糸連結具の先端部を分離した状態の側面図である。
【図３】釣り糸連結具の使用状態を示す図である。
【図４】釣り糸連結具の使用状態を示す図である。
【図５】釣り糸連結具の使用状態を示す図である。
【図６】釣り糸連結具の正面図である。
【図７】釣り糸連結具の側面図である。
【図８】釣り糸連結具の連結状態を示す図である。
【図９】釣り糸連結具の連結状態を示す図である。
【図１０】釣り糸連結具の連結状態を示す図である。
【符号の説明】
【００２０】
２１  釣り糸連結具
２２  連結具本体
２２ａ  棒状の先端部
２３ａ，２３ｂ  一対の連通孔
２３ｃ  １個の連通孔
２５  金属糸
３１  鮎の友釣り糸連結具
３２  釣り針
３３  連結具本体
３４ａ，３４ｂ  一対の連通孔
３５  金属糸
【図１】
2008005773.tif 000003
【図２】
2008005773.tif 000004
【図３】
2008005773.tif 000005
【図４】
2008005773.tif 000006
【図５】
2008005773.tif 000007
【図６】
2008005773.tif 000008
【図７】
2008005773.tif 000009
【図８】
2008005773.tif 000010
【図９】
2008005773.tif 000011
【図１０】
2008005773.tif 000012